(57)【特許請求の範囲】
【請求項１】
少なくとも部分的に、特に少なくともタイムスロット方式でＴＭＤＳ符号化され、且つ特に少なくとも１つのＤＶＩデータ接続、及び／又は、少なくとも１つのＨＤＭＩデータ接続に割り当てられた信号を、少なくとも１つのデータソースから少なくとも１つのデータシンクへ伝送する回路装置（１００；１００’）であって、
当該回路装置は、
少なくとも１つの駆動回路（Ｓ１；Ｓ１’）であって、
前記データソースに割り当てられた少なくとも１つの接続インターフェース（ＩＱ）の下流に接続され、且つ前記接続インターフェース（ＩＱ）によって、約５ボルトの供給電圧を含み、特に約５５ミリアンペア以下でチャージすることができる、供給電圧（ＶDVI/HDMI）を供給され、
電気的なＴＭＤＳ符号化信号を電気−光変換するように提供された少なくとも１つの発光素子（ＬＤ1）、特に少なくとも１つの光ダイオード、少なくとも１つの発光ダイオード、少なくとも１つのレーザダイオード、あるいは少なくとも１つの半導体レーザを含む少なくとも１つのレーザ、の上流に接続され、
前記ＴＭＤＳ符号化信号を与えられた光（ＬTMDS）は、少なくとも１つの光ファイバー（Ｆ1）、特に少なくとも１つのガラス繊維又は少なくとも１つのプラスチックファイバーを含む少なくとも１つのプラスチック材料繊維、に前記発光素子（ＬＤ1）によって連結可能である、
当該少なくとも１つの駆動回路（Ｓ１；Ｓ１’）、及び／又は、
少なくとも１つのトランスインピーダンス変換回路（Ｓ２；Ｓ２’）であって、
前記ＴＭＤＳ符号化信号を与えられた前記光（ＬTMDS）を光−電気変換するように提供された少なくとも１つの光吸収素子（ＰＤ1）、特に少なくとも１つのフォトダイオードの、下流に接続され、
前記ＴＭＤＳ符号化信号を与えられた前記光（ＬTMDS）は、前記光吸収素子（ＰＤ1）によって前記光ファイバー（Ｆ1）から取り出し可能であり、
前記データシンクに割り当てられた少なくとも１つの接続インターフェース（ＩＳ）の上流に接続され、そして
少なくとも１つの差動ペア配線（ＡＤ、ＡＤ’）に印加される直流電圧部分によって提供される、
当該少なくとも１つのトランスインピーダンス変換回路（Ｓ２；Ｓ２’）、であり、
前記駆動回路（Ｓ１又はＳ１’）は、前記発光素子（ＬＤ1）を流れる電流を、特に前記データソースに割り当てられた前記接続インターフェース（ＩＱ）の少なくとも１つのＴＭＤＳトランスミッタ（ＴＭ）の差動出力信号に応じて変調する、少なくとも１つの増幅回路（ＤＲＶ1）、特に少なくとも１つの入力増幅器と、少なくとも１つのスイッチングトランジスタ（Ｔ1）とを備え、
前記スイッチングトランジスタ（Ｔ1）のゲート又はベースは、前記増幅回路（ＤＲＶ1）の出力端子に接続され、
前記スイッチングトランジスタ（Ｔ1）のドレイン又はコレクタ、は、前記供給電圧（ＶDVI/HDMI）に割り当てられ、特に前記スイッチングトランジスタ（Ｔ1）のドレイン又はコレクタは、基本的に前記供給電圧（ＶDVI/HDMI）上に存在し、
前記スイッチングトランジスタ（Ｔ1）のソース又はエミッタは、前記発光素子（ＬＤ1）の入力端子に接続されることを特徴とする回路装置。
【請求項２】
前記駆動回路（Ｓ１又はＳ１’）は、
少なくとも１つの電圧増加回路（ＤＢ1）、特に電圧ダブラとして実装される及び／又は特に直流電圧変換器として作動する電圧増加回路であって、電気エネルギー、特に電力が取り出される及び／又は提供される電圧増加回路、
電位差又は電圧差（ＶLT1）、特に少なくとも１つの並列電圧レギュレータ又はシャントレギュレータを含む少なくとも１つの電圧制限素子（ＬＴ1）によって提供可能な電位差又は電圧差、又は、
終端電圧（ＶTerm）、特に少なくとも１つの電圧レギュレーション素子又は電圧レギュレータ（ＲＥＧ1）によって提供可能な終端電圧、
を備えることを特徴とする請求項１に記載の回路装置。
【請求項３】
前記電気エネルギーは、
前記電圧増加回路（ＤＢ1）が、前記電位差又は電圧差（ＶLT1）あるいは前記終端電圧（ＶTerm）を、電流、特に前記電位差又は電圧差（ＶLT1）あるいは前記終端電圧（ＶTerm）を低減するように方向付けた電流で、チャージして取り込むことができ、
及び／又は
前記電圧増加回路（ＤＢ1）が、前記電圧増加回路（ＤＢ1）の基準端子（Ｒｅｆ）と前記電圧増加回路（ＤＢ1）の出力端子の電位又は電圧（Ｖout）との間のより高い電位差又は電圧差に、電流、特に当該より高い電位差又は電圧差を増加するように方向付けた電流を、供給して取り出すことができ、
前記発光素子（ＬＤ1）は、当該より高い電位差又は電圧差で操作される、
ことを特徴とする請求項２に記載の回路装置。
【請求項４】
前記駆動回路（Ｓ１’）は、少なくとも１つの第２のスイッチングトランジスタ（Ｔ2）、特にソースフォロワとして実装されるスイッチングトランジスタを備え、
前記第２のスイッチングトランジスタ（Ｔ2）のゲート又はベースは、前記供給電圧（ＶDVI/HDMI）に割り当てられ、特に前記第２のスイッチングトランジスタ（Ｔ2）のゲート又はベースは、前記供給電圧（ＶDVI/HDMI）とは僅かに異なるものに調節可能であり、
前記第２のスイッチングトランジスタ（Ｔ2）のドレイン又はコレクタは、前記供給電圧（ＶDVI/HDMI）に割り当てられ、特に前記第２のスイッチングトランジスタ（Ｔ2）のドレイン又はコレクタは、基本的に前記供給電圧（ＶDVI/HDMI）上に存在し、
前記第２のスイッチングトランジスタ（Ｔ2）のソース又はエミッタは、前記第１のスイッチングトランジスタ（Ｔ1）の前記ソース又は前記エミッタに接続され、且つ前記発光素子（ＬＤ1）の前記入力端子に接続される、
ことを特徴とする請求項１に記載の回路装置。
【請求項５】
前記差動ペア配線（ＡＤ、ＡＤ’）を少なくとも部分的に終端処理するために、前記駆動回路（Ｓ１又はＳ１’）は、
電圧制限素子（ＬＴ1）の入力端子あるいは電圧レギュレーション素子又は電圧レギュレータ（ＲＥＧ1）の入力端子と増幅回路（ＤＲＶ1）の第１の入力端子との間に接続された、少なくとも１つの第１の終端抵抗器（ＲT1）と、
前記電圧制限素子（ＬＴ1）の前記入力端子あるいは前記電圧レギュレーション素子又は電圧レギュレータ（ＲＥＧ1）の前記入力端子と前記増幅回路（ＤＲＶ1）の第２の入力端子との間に接続された、少なくとも１つの第２の終端抵抗器（ＲT2）と、を備え、
前記ＴＭＤＳトランスミッタ（ＴＭ）の出力段の動作点を調節する目的で、前記終端抵抗器（ＲT1、ＲT2）によって、前記ＴＭＤＳトランスミッタ（ＴＭ）に電位差又は電圧差（ＶLT1）と前記供給電圧（ＶDVI/HDMI）との差、あるいは終端電圧（ＶTerm）、を供給することができる、
ことを特徴とする請求項１〜４のいずれか１項に記載の回路装置。
【請求項６】
特に前記データソースと前記データシンクとの間が少なくとも１つのガルバニック接続の場合、
前記ＴＭＤＳトランスミッタ（ＴＭ）は、前記データシンクに割り当てられた前記接続インターフェース（ＩＳ）に割り当てられた少なくとも１つのＴＭＤＳレシーバ（ＲＣ）によって終端処理可能であり、前記トランスインピーダンス変換回路（Ｓ２；Ｓ２’）は、前記ＴＭＤＳレシーバ（ＲＣ）の差動入力に接続されており、
特に前記データソースと前記データシンクとの間の少なくとも１つのガルバニック接続の場合、前記ＴＭＤＳレシーバ（ＲＣ）の少なくとも２つの終端抵抗器（ＲT、ＲT’）によって、前記トランスインピーダンス変換回路（Ｓ２；Ｓ２’）に、約３．３ボルトの動作電圧を含む、特に差動入力あたり約１２ミリアンペア以下でチャージすることができる、動作電圧（ＡＶCC）を供給可能であり、及び／又は
前記動作電圧が、前記差動ペア配線（ＡＤ、ＡＤ’）を介して前記ＴＭＤＳトランスミッタ（ＴＭ）に、特に前記ＴＭＤＳトランスミッタ（ＴＭ）の出力段に供給可能である、ことを特徴とする請求項１〜５のいずれか１項に記載の回路装置。
【請求項７】
前記トランスインピーダンス変換回路（Ｓ２）は、
差動入力が前記光吸収素子（ＰＤ1）に割り当てられた少なくとも１つの増幅器（ＴＩＡ1）と、
前記光吸収素子（ＰＤ1）から取り込まれ前記増幅器（ＴＩＡ1）により増幅された前記ＴＭＤＳ符号化信号でＴＭＤＳレシーバ（ＲＣ）の差動入力をチャージするための、前記増幅器（ＴＩＡ1）の前記第１の出力に割り当てられた少なくとも１つの第１のカップリングコンデンサ（Ｃ2）、及び前記増幅器（ＴＩＡ1）の前記第２の出力に割り当てられた少なくとも１つの第２のカップリングコンデンサ（Ｃ3）と、
を含むことを特徴とする請求項１〜６のいずれか１項に記載の回路装置。
【請求項８】
前記差動ペア配線（ＡＤ、ＡＤ’）を少なくとも部分的に終端処理するために、前記トランスインピーダンス変換回路（Ｓ２）は、
少なくとも１つの第１の抵抗器（Ｒ1）、特に少なくとも１つの第１の終端抵抗器と、
少なくとも１つの第２の抵抗器（Ｒ2）、特に少なくとも１つの第２の終端抵抗器と、を備え、
前記抵抗器（Ｒ1、Ｒ2）は、動作電圧（ＡＶCC）から前記ＴＭＤＳレシーバ（ＲＣ）の同相電圧を発生することによって、前記ＴＭＤＳレシーバ（ＲＣ）の入力段の動作点を調節可能であり、
供給電圧（Ｖsupply）を給電する供給電流（Ｉsupply）は、少なくとも部分的に前記第１の抵抗器（Ｒ1）を介して、及び／又は、前記第２の抵抗器（Ｒ2）を介して前記差動ペア配線（ＡＤ、ＡＤ’）から前記増幅器（ＴＩＡ1）へ流れる、
ことを特徴とする請求項７に記載の回路装置。
【請求項９】
前記トランスインピーダンス変換回路（Ｓ２’）は、
差動入力が前記光吸収素子（ＰＤ1）に割り当てられた少なくとも１つの増幅器（ＴＩＡ1）と、
前記光吸収素子（ＰＤ1）から取り込まれ前記増幅器（ＴＩＡ1）により増幅された前記ＴＭＤＳ符号化信号でＴＭＤＳレシーバ（ＲＣ）の差動入力をチャージするための、前記増幅器（ＴＩＡ1）の前記第１の出力に割り当てられた少なくとも１つの第１のスイッチングトランジスタ（Ｔ3）及び前記増幅器（ＴＩＡ1）の前記第２の出力に割り当てられた少なくとも１つの第２のスイッチングトランジスタ（Ｔ4）と、を備え、
供給電圧（Ｖsupply）を給電する前記増幅器（ＴＩＡ1）の供給電流（Ｉsupply）は、少なくとも部分的に前記スイッチングトランジスタ（Ｔ3、Ｔ4）を流れる電流である、
ことを特徴とする請求項１〜６のいずれか１項に記載の回路装置。
【請求項１０】
前記差動ペア配線（ＡＤ、ＡＤ’）を少なくとも部分的に終端処理するために、前記トランスインピーダンス変換回路（Ｓ２’）は、
少なくとも１つの第１の抵抗器（Ｒ1）、特に少なくとも１つの第１の終端抵抗器と、
少なくとも１つの第２の抵抗器（Ｒ2）、特に少なくとも１つの第２の終端抵抗器と、
を備え、
前記抵抗器（Ｒ1、Ｒ2）は、動作電圧（ＡＶCC）から前記ＴＭＤＳレシーバ（ＲＣ）の同相電圧を発生することによって、前記ＴＭＤＳレシーバ（ＲＣ）の入力段の動作点を調節可能である、
ことを特徴とする請求項９に記載の回路装置。
【請求項１１】
少なくとも部分的に、特に少なくともタイムスロット方式でＴＭＤＳ符号化され、且つ特に少なくとも１つのＤＶＩデータ接続、及び／又は、少なくとも１つのＨＤＭＩデータ接続に割り当てられた信号を、少なくとも１つのデータソースから少なくとも１つのデータシンクへ伝送する方法であって、
駆動回路（Ｓ１；Ｓ１’）は、上流に接続され且つ前記データソースに割り当てられた少なくとも１つの接続インターフェース（ＩＱ）によって、約５ボルトの供給電圧を含み、特に約５５ミリアンペア以下でチャージすることができる、供給電圧（ＶDVI/HDMI）を供給され、
前記駆動回路（Ｓ１；Ｓ１’）の下流に接続された少なくとも１つの発光素子（ＬＤ1、特に少なくとも１つの光ダイオード、少なくとも１つの発光ダイオード、少なくとも１つのレーザダイオード、あるいは少なくとも１つの半導体レーザを含む少なくとも１つのレーザによって、電気的なＴＭＤＳ符号化信号を電気−光変換して、前記ＴＭＤＳ符号化信号を与えられた光（ＬTMDS）として、少なくとも１つの光ファイバー（Ｆ1）、特に少なくとも１つのガラス繊維又は少なくとも１つのプラスチックファイバーを含む少なくとも１つのプラスチック材料繊維に、連結し、
少なくとも１つのＴＭＤＳトランスミッタ（ＴＭ）から前記データソースに割り当てられた前記接続インターフェース（ＩＱ）へ供給される直流電流部分は、前記駆動回路（Ｓ１；Ｓ１’）によって前記発光素子（ＬＤ1）を制御する変調信号電流に変換され、
前記ＴＭＤＳ符号化信号を与えられた前記光（ＬTMDS）は、少なくとも１つの光吸収素子（ＰＤ1）、特に少なくとも１つのフォトダイオードによって、前記光ファイバー（Ｆ1）から取り出されて、光−電気変換され、前記光吸収素子（ＰＤ1）の下流且つ前記データシンクに割り当てられた少なくとも１つの接続インターフェース（ＩＳ）の上流に接続された少なくとも１つのトランスインピーダンス変換回路（Ｓ２；Ｓ２’）に供給され、前記トランスインピーダンス変換回路（Ｓ２；Ｓ２’）は、少なくとも１つの差動ペア配線（ＡＤ、ＡＤ’）によって印加される直流電圧部分によって提供され、
前記駆動回路（Ｓ１又はＳ１’）は、前記発光素子（ＬＤ1）を流れる電流を、特に前記データソースに割り当てられた前記接続インターフェース（ＩＱ）の少なくとも１つのＴＭＤＳトランスミッタ（ＴＭ）の差動出力信号に応じて変調する、少なくとも１つの増幅回路（ＤＲＶ1）、特に少なくとも１つの入力増幅器と、少なくとも１つのスイッチングトランジスタ（Ｔ1）とを備え、
前記スイッチングトランジスタ（Ｔ1）のゲート又はベースは、前記増幅回路（ＤＲＶ1）の出力端子に接続され、
前記スイッチングトランジスタ（Ｔ1）のドレイン又はコレクタ、は、前記供給電圧（ＶDVI/HDMI）に割り当てられ、特に前記スイッチングトランジスタ（Ｔ1）のドレイン又はコレクタは、基本的に前記供給電圧（ＶDVI/HDMI）上に存在し、
前記スイッチングトランジスタ（Ｔ1）のソース又はエミッタは、前記発光素子（ＬＤ1）の入力端子に接続されることを特徴とする方法。
【請求項１２】
前記トランスインピーダンス変換回路（Ｓ２；Ｓ２’）を操作する電気エネルギー、特に電力は、前記データシンクに割り当てられた前記接続インターフェース（ＩＳ）に割り当てられた前記トランスインピーダンス変換回路（Ｓ２；Ｓ２’）と、少なくとも１つのＴＭＤＳレシーバ（ＲＣ）との間の接続における直流電流部分に由来する電気エネルギー、および前記ＴＭＤＳレシーバ（ＲＣ）における直流電圧部分に由来する電気エネルギー、特に電力から取り出される、
ことを特徴とする請求項１１に記載の方法。
【請求項１３】
特に前記データソースと前記データシンクとの間が少なくとも１つのガルバニック接続の場合、
前記ＴＭＤＳトランスミッタ（ＴＭ）は、前記データシンクに割り当てられた前記接続インターフェース（ＩＳ）の少なくとも１つのＴＭＤＳレシーバ（ＲＣ）によって、終端処理され、
動作電圧が、前記データソースと前記データシンクとの間の前記差動ペア配線（ＡＤ、ＡＤ’）を介して前記ＴＭＤＳトランスミッタ（ＴＭ）、特に前記ＴＭＤＳトランスミッタ（ＴＭ）の出力段に、供給され、
前記駆動回路（Ｓ１；Ｓ１’）は、前記データソースに割り当てられた前記接続インターフェース（ＩＱ）によって、約５ボルトの供給電圧を含み、特に約５５ミリアンペア以下でチャージすることができる、前記供給電圧（ＶDVI/HDMI）を供給され、
前記ＴＭＤＳレシーバ（ＲＣ）の少なくとも２つの終端抵抗器（ＲT、ＲT’）によって、前記トランスインピーダンス変換回路（Ｓ２；Ｓ２’）に、約３．３ボルトの動作電圧を含み、特に差動入力あたり約１２ミリアンペア以下でチャージすることができる動作電圧（ＡＶCC）を供給する、
ことを特徴とする請求項１１又は１２に記載の方法。
【発明の詳細な説明】
【技術分野】
【０００１】
本発明は、少なくとも部分的に、特に少なくともタイムスロット方式でＴＭＤＳ符号化され、且つ特に少なくとも１つのＤＶＩデータ接続、及び／又は、少なくとも１つのＨＤＭＩデータ接続に割り当てられた信号を、少なくとも１つのデータソースから少なくとも１つのデータシンクへ伝送する請求項１の前文による回路装置に関する（ＤＶＩ＝デジタルビジュアルインターフェース；ＨＤＭＩ＝高解像度マルチメディアインターフェース；ＴＭＤＳ＝遷移時間最短差動信号）。
【０００２】
本発明は更に、少なくとも部分的に特に少なくともタイムスロット方式でＴＭＤＳ符号化され、且つ特に少なくとも１つのＤＶＩデータ接続に割り当てられた及び／又は少なくとも１つのＨＤＭＩデータ接続に割り当てられた信号を、少なくとも１つのデータソースから少なくとも１つのデータシンクへ伝送する、請求項１１の前文による方法に関する。
【背景技術】
【０００３】
高解像度の視覚表示装置、（フラット）スクリーン、ディスプレー、テレビセット、及びモニターは、電気的接続インターフェースを、ＤＶＩデータ伝送インターフェース及び／又はＨＤＭＩデータ伝送インターフェースの形態で備えている。様々な制御信号に加えて、音声・画像データ伝送用の幾つかの差動ＴＭＤＳ符号化信号、及び少なくとも１つのデータソースと少なくとも１つのデータシンクとの間で必要とされるクロック信号が、このインターフェースを介して運ばれる。
【０００４】
これに関連して、基本的に、ＴＭＤＳ（＝遷移時間最短差動信号）が、非圧縮マルチメディアデータ用のデジタル伝送基準であり、アナログ伝送に起こる電磁波障害を排除するために開発されている。このように、ＴＭＤＳは、超高解像度のスクリーンを制御する目的で、例えばＤＶＩ伝送（ＤＶＩ＝デジタルビジュアルインターフェース）及び／又はＨＤＭＩ伝送（ＨＤＭＩ＝高解像度マルチメディアインターフェース）に用いられており、ＴＭＤＳ符号化信号は、約数ギガバイト／秒のデータ速度を含みうる。
【０００５】
２００６年１１月１０日付けのＨＤＭＩ仕様書バージョン１．３ａ第３８ページ（参加企業：株式会社日立製作所、松下電器産業株式会社、Philips Consumer Electronics International B.V.、Silicon Image Inc.、ソニー株式会社、Thomson Inc.、株式会社東芝）によると、直流結合伝送線路のシンク側に差動低電圧信号を発生する目的で、ＴＭＤＳ技術に電流ドライバを用いている。
【０００６】
接続基準電圧又は供給電圧は、差動信号の両方の端部のそれぞれについて高電圧値を定義し、一方、低電圧値は、ＨＤＭＩソースの電流源と、シンクにおける終端抵抗器とによって決定される。終端抵抗器とケーブルの特性インピーダンスとは、互いに適応される。
【０００７】
詳細には、データソースの接続インターフェースとデータシンクの接続インターフェースとの間に、例えば銅ケーブルＫＫ（銅線の差動ペアあたりインピーダンスＺ０を備える。図３参照）によって、電気的接続を生じさせる。ＴＭＤＳ符号化信号は、出力電流ドライバ（電流源ＳＱとツインスイッチＤ、Ｄ’とを備えるトランスミッタＴＭ。図３参照）によって、データソースからの出力電流信号として提供される。
【０００８】
レシーバ（レシーバＲＣ。図３参照）における適切な線終端は、データソースとデータシンクとの間の直流電圧結合伝送チャネルＫＫによって得られる。レシーバＲＣ内で並列に接続された２個のオーム抵抗器ＲＴ、ＲＴ’（図３参照）の形態をしたこの線終端において、供給電圧ＡＶＣＣに基づいて、入力増幅器ＥＶに必要な入力信号電圧が発生する。
【０００９】
図３は、上述した差動ＴＭＤＳ信号に関する従来技術を、概念的概略回路図の形で示す。図３では更に、レシーバＲＣは、トランスミッタＴＭの出力電流ドライバの直流電圧源を採用するものとなっている。その上、データソースの接続インターフェースは、データシンクに、約５５ミリアンペア以下でチャージすることのできる、約５ボルトの電圧源を提供する。
【００１０】
図に示した従来技術に関して、ＨＤＭＩデータ接続のＴＭＤＳ符号化信号は、銅ケーブルＫＫの差動ペア配線ＡＤ、ＡＤ’（図３参照）につき、数ギガバイト／秒のデータ伝送速度をサポートできなければならないことを考慮する必要がある。これには、データソースとデータシンクとの間の距離が長い場合に、極めて高品質で従って高価な銅ケーブルを使用する必要がある。
【発明の概要】
【発明が解決しようとする課題】
【００１１】
上述した不利な点や欠点に端を発し、概要を示した従来技術を鑑みると、本発明の目的は、少なくとも部分的に特に少なくともタイムスロット方式でＴＭＤＳ符号化され、且つ特に少なくとも１つのＤＶＩデータ接続に割り当てられた及び／又は少なくとも１つのＨＤＭＩデータ接続に割り当てられた信号を、少なくとも１つのデータソースから少なくとも１つのデータシンクへ安価に伝送する回路装置及び方法を提供することにある。
【課題を解決するための手段】
【００１２】
この目的は、請求項１に開示の特徴を備える回路装置と、請求項１１に開示の特徴を備える方法によって達成される。本発明の有利な実施形態及び適切な変形は、それぞれの従属請求項において特徴付けられている。
【００１３】
本発明による回路装置及び回路技術を用いることで、（電気的接触部分においていずれにせよ既に存在する電力供給は別として）追加の電力供給を必要とすることなく、少なくとも１つのケーブル接続を実装することができる。
【００１４】
より具体的には、本発明の回路装置によって及び本発明の方法によって、少なくとも部分的に特に少なくともタイムスロット方式でＴＭＤＳ符号化された信号を、特に少なくとも１つのＤＶＩデータ接続に基づいて及び／又は少なくとも１つのＨＤＭＩデータ接続に基づいて、少なくとも１つのデータソースから少なくとも１つのデータシンクへの光信号伝送によって、運ぶことができる。
【００１５】
これに関連して、ガラス繊維を介した又はプラスチックファイバー等のプラスチック材料繊維を介した光信号伝送が、高品質で高価な銅ケーブルの代替となる費用効率的な手段を代表するものとして挙げられる（光信号伝送を用いることで、少なくとも１つの電気−光変換器によって電気信号が光信号に変換され、また少なくとも１つの光−電気変換器によってその逆の変換もされる。）。
【００１６】
当業者、例えばマルチメディアの分野に深い知識を有する通信工学専門技師は、本発明に関して、特に追加の外部電流源が必須でないことについて真価を認めるであろう。これは、本発明により、データソース及びデータシンクの接続インターフェース、特にＤＶＩ伝送インターフェース又はＨＤＭＩ伝送インターフェースにおいて提供される電圧及び電流のみによって、少なくとも１つの駆動回路又は少なくとも１つのトランスインピーダンス変換回路が提供されることを意味する。
【００１７】
従って本発明は、少なくとも１つの駆動回路の電流源又は少なくとも１つのトランスインピーダンス変換回路の電流源は、１個（又は複数）の追加の外部電流源に由来するものではなく、データソースの接続インターフェース又はデータシンクの接続インターフェースによって提供可能である、という事実を利用する。
【００１８】
家庭用電化製品の分野では外部電流源が技術的に複雑なものとなり販売の面でかなり不利であるため、上記の事実は、本発明の特に有利な点である。本発明の範囲内の回路装置と比較して、他の回路装置は、使用可能な電力が限られているため作動できないのが普通である。
【００１９】
本発明による少なくとも１つの駆動回路と本発明による少なくとも１つのトランスインピーダンス変換回路とを備える回路装置は、追加の外部電流源を必要とせずにデータソースの接続インターフェースにより提供されるＴＭＤＳ信号を光学的に伝送する可能性を代表するものである。
【００２０】
ＴＭＤＳ符号化信号は約数ギガバイト／秒のデータ速度を含むことができるという事実から、本発明により可能となる光ファイバーを介したＴＭＤＳ符号化信号の光伝送によって、電磁波を放射せずに、データソースからデータシンクへ減衰することなく高いデータ速度で運ぶことができる、安価な信号接続の形成が可能となる。本光伝送による利点として、特に約３メートルを超えるケーブル長さについて効果があることが挙げられる。
【００２１】
本発明による駆動回路は、ＴＭＤＳトランスミッタと発光素子との間に接続されるので、ＴＭＤＳトランスミッタから提供される直流電流部分が、発光素子のエネルギー供給に都合よく確実に用いられるようになっている。一方、ＴＭＤＳトランスミッタから提供される交流部分は、発光素子を伝導する電流フローの変調に用いられる。
【００２２】
このように、直流−直流変換器（ＤＣ−ＤＣ変換器）として作用する駆動回路によって、ＴＭＤＳトランスミッタから提供される直流電流部分が、実際には発光素子を制御する変調信号電流に変換される。これはＴＭＤＳトランスミッタにより提供されるエネルギー（電力）が発光素子へ運ばれることを意味する。
【００２３】
電力伝送量の大きさは、流れている直流電流部分に由来するものであり、ＴＭＤＳトランスミッタの出力におけるノード電圧とＴＭＤＳインターフェースでも用いることができる約５ボルトの電圧源との間の電圧差に由来するものである。
【００２４】
本発明によると、トランスインピーダンス変換回路は、差動ペア配線に印加される直流電圧部分によって提供される。
【００２５】
本発明は更に、少なくとも部分的に、特に少なくともタイムスロット方式でＴＭＤＳ符号化され、且つ特に少なくとも１つのＤＶＩデータ接続、及び／又は、少なくとも１つのＨＤＭＩデータ接続に割り当てられた信号を、少なくとも１つのデータソースから少なくとも１つのデータシンクへ伝送する、上述した種類の少なくとも１つの回路装置を備えるケーブル接続に関する。
【００２６】
本発明によると、少なくとも１つのそのようなアクティブ光伝送ケーブルの提供は、回路装置、すなわち少なくとも１つの駆動回路、及び／又は、少なくとも１つのトランスインピーダンス変換回路を、小型に、つまり外部電流源なしで、実装することができ、ドライバ及び／又はトランスインピーダンス変換器を、市販の、特に従来の又は標準の、ＤＶＩコネクタ及び／又はＨＤＭＩコネクタに組み込むことができるという事実に基づいている。
【００２７】
本発明は最後に、少なくとも１つのブルーレイプレーヤを含む少なくとも１つのＨＤＴＶデータソースと少なくとも１つの超高解像度フラットスクリーンを含む少なくとも１つのＨＤＴＶデータシンクとの間の信号接続のための、特に少なくとも１つのアクティブ光伝送ケーブルを含む少なくとも１つのケーブル接続における、上述した種類の少なくとも１つの回路装置の使用、及び／又は、上述した種類の方法の使用に関する。
【図面の簡単な説明】
【００２８】
上述したように、本発明の教示を有利なように具体化し、更に発展させる様々な可能性がある。このために、一方では請求項１の従属請求項及び請求項１２の従属請求項が参照される。他方では、本発明の更なる実施形態、特徴及び利点を、特に図１Ａ〜図２Ｂに代表される実施形態によって、以下に更に詳細に説明する。
【００２９】
【図１Ａ】回路装置の、本発明により実装される第１の部分つまり本発明の方法により操作されるドライバ部分の、第１の代表的実施形態の概念的概略図である。
【図１Ｂ】回路装置の、本発明により実装される第１の部分つまり本発明の方法により操作されるドライバ部分の、第２の代表的実施形態の概念的概略図である。
【図２Ａ】回路装置の、本発明により実装される第２の部分つまり本発明の方法により操作されるトランスインピーダンス変換器部分の、第１の代表的実施形態の概念的概略図である。
【図２Ｂ】回路装置の、本発明により実装される第２の部分つまり本発明の方法により操作されるトランスインピーダンス変換器部分の、第２の代表的実施形態の概念的概略図である。
【図３】従来技術の回路装置例の概念的概略図である。
【００３０】
図１Ａ〜図３において、同様又は類似の実施形態、構成要素又は特徴には、同一の参照符号を充ててある。
【発明を実施するための形態】
【００３１】
−  本発明による図１Ａに代表される駆動回路Ｓ１又は図１Ｂにより代表される駆動回路Ｓ１’と、
−  本発明による図２Ａにより代表されるトランスインピーダンス変換回路Ｓ２又は図２Ｂにより代表されるトランスインピーダンス変換回路Ｓ２’と、
は、合わせて本発明による回路装置１００（図１Ａ、図２Ａ参照）又は回路装置１００’（図１Ｂ、図２Ｂ参照）を定義し（本発明の範囲内で、駆動回路Ｓ１、Ｓ１’、トランスインピーダンス変換回路Ｓ２、Ｓ２’を互いに独立して実装し操作することが可能である）、上記回路Ｓ１、Ｓ１’、Ｓ２、Ｓ２’によって、（電気的接触部分においていずれにせよ既に存在する電力供給は別として）追加の電力供給を必要とすることなく、ケーブルを用いた接続を実装し操作することが基本的に可能であり、従ってデータソースの既存の接続インターフェースＩＱ及びデータシンクの既存の接続インターフェースＩＳの変更や、あるいはこれらのインターフェースＩＱ、ＩＳに可能な仕様を超えたインターフェースＩＱ、ＩＳの操作を必要とすることなく、アクティブ光伝送ケーブルの少なくとも１つのＤＶＩ及び／又はＨＤＭＩ伝送チャネルに容易に適応することが可能である。
【００３２】
特に好ましい実施形態において、ＤＶＩ及び／又はＨＤＭＩ接続の画像データ伝送に用いられる全ての信号は、光チャネルを介してＤＶＩ／ＨＤＭＩソースからＤＶＩ／ＨＤＭＩシンクへこのように伝送される。
【００３３】
余計な繰り返しを避けるため、本発明の実施形態、特徴及び利点に関する以下の説明は、特に明記しない限りは、
−  図１Ａに示すように本発明による回路装置１００の、第１の部分つまりドライバ部分の、第１の代表的実施形態（Ｓ１）、及び、
−  図１Ｂに示すように本発明による回路装置１００’の、第１の部分つまりドライバ部分の、第２の代表的実施形態（Ｓ１’）、
に関するものとする。
【００３４】
これに関連して、図１Ａ又は図１Ｂは、データソースの接続インターフェースＩＱとリンクするドライバＳ１又はＳ１’の主なセットアップを示す。データソースのこの接続インターフェースＩＱは、約５５ミリアンペア以下でチャージすることができる、約５ボルトの電圧源ＶＤＶＩ／ＨＤＭＩを提供する。
【００３５】
この供給電圧ＶＤＶＩ／ＨＤＭＩは、
−  図１Ａでは電圧制限素子ＬＴ１、例えば並列電圧レギュレータ又はシャントレギュレータとして実装される電圧制限素子と、
−  図１Ｂでは電圧レギュレータＲＥＧ１と、
を備えるドライバＳ１又はＳ１’に給電される。
【００３６】
更にドライバＳ１又はＳ１’は、電圧増加回路ＤＢ１、例えば電圧ダブラとして実装される及び／又は例えば直流電圧変換器して作動する電圧増加回路と、終端抵抗器ＲＴ１及びＲＴ２と、デカップリングコンデンサＣ１と、入力増幅回路ＤＲＶ１と、スイッチングトランジスタＴ１とを備える。図１Ｂによるドライバの第２の代表的実施形態（Ｓ１’）は、ソースフォロワとして作動するスイッチングトランジスタＴ２を更に備える。
【００３７】
少なくとも１つの発光素子ＬＤ１、例えば少なくとも１つの光ダイオード、少なくとも１つの発光ダイオード（ＬＥＤ）、少なくとも１つのレーザダイオード、あるいは少なくとも１つのレーザ、例えば少なくとも１つの半導体レーザは、駆動回路Ｓ１又はＳ１’に接続される［本発明の範囲内で、「光」又は「発光」の語は、可視の電磁放射線の範囲に限定されるものではなく、約７８９テラヘルツ〜約３８５テラヘルツの周波数に相当する、約３８０ナノメートル〜約７８０ナノメートルの波長範囲にわたるものであると理解されるものである。「光」又は「発光」の語はむしろ、不可視のスペクトル、特に赤外領域（波長範囲約２０００ナノメートル以下又は周波数範囲約１５０テラヘルツ以上）、例えば波長範囲約８５０ナノメートル又は周波数約３５０テラヘルツを含む、全ての電磁波長又は波長スペクトルとして理解されるものである。］。
【００３８】
発光素子ＬＤ１は、データ信号を供給された光ＬＴＭＤＳを光ファイバーＦ１に連結する。図１Ａによるドライバの第１の代表的実施形態（Ｓ１）において、定義される電位差又は電圧差ＶＬＴ１は、電圧制限素子ＬＴ１によって発生し、電圧増加回路ＤＢ１の入力電圧を表すものである。これに対応して、図１Ｂによるドライバの第２の代表的実施形態（Ｓ１’）において、定義される終端電圧ＶＴｅｒｍは、電圧レギュレーション素子ＲＥＧ１によって発生し、電圧増加回路ＤＢ１の入力電圧を表すものである。
【００３９】
電圧増加回路ＤＢ１により、
−  電位差又は電圧差ＶＬＴ１（図１Ａによるドライバの第１の代表的実施形態（Ｓ１）を参照）又は、
−  終端電圧ＶＴｅｒｍ（図１Ｂによるドライバの第２の代表的実施形態（Ｓ１’）を参照）、
は、発光素子ＬＤ１を操作するのに必要な電圧値に上げられる。例えば電位差又は電圧差ＶＬＴ１あるいは終端電圧ＶＴｅｒｍは、電圧増加回路ＤＢ１により、発光素子ＬＤ１を操作するのに必要な、約１．５倍から約２．５ボルトの電圧に上げることができる。
【００４０】
電圧増加回路ＤＢ１の入力端子Ｖｉｎには、
−  電位差又は電圧差ＶＬＴ１（図１Ａによるドライバの第１の代表的実施形態（Ｓ１）を参照）又は、
−  終端電圧ＶＴｅｒｍ（図１Ｂによるドライバの第２の代表的実施形態（Ｓ１’）を参照）、
が供給される。電圧増加回路ＤＢ１の出力端子Ｖｏｕｔは、デカップリングコンデンサＣ１に接続され、且つ発光素子ＬＤ１の出力端子に接続される。電圧増加回路ＤＢ１の基準端子Ｒｅｆは、供給電圧ＶＤＶＩ／ＨＤＭＩ上に存在する。これに対応して、駆動回路Ｓ１又はＳ１’は、供給電圧ＶＤＶＩ／ＨＤＭＩを基準点として用いている。
【００４１】
駆動回路Ｓ１又はＳ１’によって、ＴＭＤＳトランスミッタＴＭから提供される直流電流部分は、発光素子ＬＤ１の電流源に確実に用いられるようになっている。発光素子ＬＤ１を通過する電流フローは、入力増幅器ＤＲＶ１及びスイッチングトランジスタＴ１によって、ＴＭＤＳトランスミッタＴＭの差動出力信号に応じて変調される。
【００４２】
スイッチングトランジスタＴ１のゲート又はベースは、増幅器ＤＲＶ１の出力端子に接続される。スイッチングトランジスタＴ１のドレイン又はコレクタは、供給電圧ＶＤＶＩ／ＨＤＭＩに割り当てられる。特に、スイッチングトランジスタＴ１のドレイン又はコレクタは、基本的に供給電圧ＶＤＶＩ／ＨＤＭＩ上に存在する。スイッチングトランジスタＴ１のソース又はエミッタは、発光素子ＬＤ１の入力端子に接続される。
【００４３】
図１Ｂによるドライバの第２の代表的実施形態（Ｓ１’）において、ソースフォロワとして作動するトランジスタＴ２によって、第１のトランジスタＴ１がオフ段階であっても最小電圧が発光素子ＬＤ１に確実に常に印加されるようになっている。この技術的手法によって、発光素子ＬＤ１のスイッチオンの遅れを低減することができ、これによって発光素子ＬＤ１による高信号周波数の伝送が可能となる。
【００４４】
第２のスイッチングトランジスタＴ２のゲート又はベースは、供給電圧ＶＤＶＩ／ＨＤＭＩに割り当てられる。特に、発光素子ＬＤ１の最も有利な動作点に関して最適化する目的で、第２のスイッチングトランジスタＴ２のゲート又はベースは、供給電圧ＶＤＶＩ／ＨＤＭＩとは僅かに異なるものを選択することができる。第２のスイッチングトランジスタＴ２のドレイン又はコレクタは、供給電圧ＶＤＶＩ／ＨＤＭＩに割り当てられる。特に、第２のスイッチングトランジスタＴ２のドレイン又はコレクタは、基本的に供給電圧ＶＤＶＩ／ＨＤＭＩ上に存在する。第２のスイッチングトランジスタＴ２のソース又はエミッタは、スイッチングトランジスタＴ１のソース又はエミッタに接続され、且つ発光素子ＬＤ１の入力端子に接続される。
【００４５】
互いに鏡像的に接続された２個のトランジスタＴＳ、ＴＳ’の下流に差動出力が接続されているＴＭＤＳトランスミッタＴＭの出力段の動作点の正しい調整を行うために、
−  図１Ａによる駆動回路の第１の代表的実施形態（Ｓ１）における、電位差又は電圧差ＶＬＴ１と電圧源ＶＤＶＩ／ＨＤＭＩとの差、又は、
−  図１Ｂによる駆動回路の第２の代表的実施形態における（Ｓ１’）、電圧レギュレータＲＥＧ１の出力電圧ＶＴｅｒｍ、
を差動接続線ＡＤ、ＡＤ’の少なくとも部分的な終端を目的として提供される終端抵抗器ＲＴ１、ＲＴ２によってＴＭＤＳトランスミッタＴＭに供給する。
【００４６】
第１の終端抵抗器ＲＴ１は、電圧制限素子ＬＴ１の入力端子（図１Ａによるドライバの第１の代表的実施形態（Ｓ１）を参照）又は電圧レギュレータＲＥＧ１の入力端子（図１Ｂによるドライバの第２の代表的実施形態（Ｓ１’）を参照）と増幅回路ＤＲＶ１の第１の入力端子との間に接続される。第２の終端抵抗器ＲＴ２は、電圧制限素子ＬＴ１の入力端子（図１Ａによるドライバの第１の代表的実施形態（Ｓ１）を参照）又は電圧レギュレータＲＥＧ１の入力端子（図１Ｂによるドライバの第２の代表的実施形態（Ｓ１’）を参照）と増幅回路ＤＲＶ１の第２の入力端子との間に接続される。
【００４７】
余計な繰り返しを避けるため、本発明の実施形態、特徴及び利点に関する以下の説明は、特に明記しない限りは、
−  図２Ａに示すように本発明による回路装置１００の、第２の部分つまりトランスインピーダンス変換器部分の、第１の代表的実施形態（Ｓ２）、及び、
−  図２Ｂに示すように本発明による回路装置１００’の、第２の部分つまりトランスインピーダンス変換器部分の、第２の代表的実施形態（Ｓ２’）、
に関するものとする。
【００４８】
図２Ａ又は図２Ｂは、データシンクの接続インターフェースＩＳとリンクするトランスインピーダンス変換器Ｓ２又はＳ２’の主なセットアップを示す。データシンクのこの接続インターフェースＩＳは、必要なエネルギーをトランスインピーダンス変換器Ｓ２又はＳ２’に供給することのできる明白な電圧源を備えていない。
【００４９】
しかし、データソースとデータシンクとの間のガルバニック接続の場合、データシンクの接続インターフェースＩＳのＴＭＤＳレシーバＲＣによって、ＴＭＤＳトランスミッタＴＭが適切に終端処理され、必要とされる動作電圧がデータソースとデータシンクとの間の差動ペア配線ＡＤ、ＡＤ’を介してＴＭＤＳトランスミッタＴＭの出力段に供給される。特に、トランスインピーダンス変換回路Ｓ２又はＳ２’は、差動ペア配線ＡＤ、ＡＤ’に印加される直流電圧部分によって提供される。
【００５０】
これは、増幅器ＴＩＡ１と抵抗器Ｒ１、Ｒ２、Ｒ３とを備えるトランスインピーダンス変換回路Ｓ２又はＳ２’に利用される。その上、
−  図２Ａによるトランスインピーダンス変換回路の第１の代表的実施形態（Ｓ２）は、カップリングコンデンサＣ２、Ｃ３、デカップリングコンデンサＣ４、Ｃ５、並びに直列に連結されたシリコンダイオードＤ１、Ｄ２を備え、
−  一方、図２Ｂによるトランスインピーダンス変換回路の第２の代表的実施形態（Ｓ２’）は、一対のスイッチングトランジスタＴ３、Ｔ４及びデカップリングコンデンサＣ２’を備える。
【００５１】
データソースとデータシンクとの間のガルバニック接続の場合、データシンクの接続インターフェースＩＳのＴＭＤＳレシーバＲＣは、約３．３ボルトの動作電圧ＡＶＣＣを提供する。この動作電圧ＡＶＣＣは、差動入力あたり約１２ミリアンペア以下でチャージすることができ、またＴＭＤＳレシーバＲＣの差動入力において並列に接続された内部オーム終端抵抗器ＲＴ、ＲＴ’によって供給される。同時に、この動作電圧ＡＶＣＣに基づいて、入力増幅器ＥＶに必要な入力信号電圧が、ＴＭＤＳレシーバＲＣの終端ＲＴ、ＲＴ’において発生する。
【００５２】
トランスインピーダンス変換器部Ｓ２又はＳ２’は、ＴＭＤＳレシーバＲＣの差動入力に接続されて、ＴＭＤＳレシーバＲＣに対して、正しい動作点の調整に必要なＶＣＭ又は同相電圧を発生する。このＶＣＭ又は同相電圧は、対応するように供給された動作電圧ＡＶＣＣから、差動接続線ＡＤ、ＡＤ’の少なくとも部分的な終端処理を目的として提供された（終端）抵抗器Ｒ１、Ｒ２によって、発生する（これに関連して、ＶＣＭ又は同相電圧は、演算増幅器又は差動増幅器の特性値、つまり演算増幅器又は差動増幅器における入力電圧の平均値である）。
【００５３】
図２Ａによるトランスインピーダンス変換回路の第１の代表的実施形態（Ｓ２）において、この電圧は、コンデンサＣ５によって平滑にされる。同時に、図２Ａによるトランスインピーダンス変換回路の第１の代表的実施形態（Ｓ２）において、この電圧は、トランスインピーダンス変換器Ｓ２に割り当てられたフォトダイオードＰＤ１の逆電圧ＶＰＤの供給電圧として、増幅器ＴＩＡ１に提供される。
【００５４】
図２Ａによるトランスインピーダンス変換回路の第１の代表的実施形態（Ｓ２）において、その上更に、供給電圧Ｖｓｕｐｐｌｙを給電する供給電流Ｉｓｕｐｐｌｙは、少なくとも部分的に第１の（終端）抵抗器Ｒ１を介して又は第２の（終端）抵抗器Ｒ２を介して差動ペア配線ＡＤ、ＡＤ’から増幅器ＴＩＡ１へ流れる。基本的に、出力段からの電流は、増幅器ＴＩＡ１の動作電流又は供給電流Ｉｓｕｐｐｌｙとして用いられる。
【００５５】
図２Ａによるトランスインピーダンス変換回路の第１の代表的実施形態（Ｓ２）において、電圧は、回路節点から直列抵抗器Ｒ３を介して２個のシリコンダイオードＤ１、Ｄ２へ伝導される。図２Ａによるトランスインピーダンス変換回路の第１の代表的実施形態（Ｓ２）において、増幅器ＴＩＡ１に対する約１．４ボルトの適切な動作電圧Ｖｓｕｐｐｌｙが、シリコンダイオードＤ１、Ｄ２について典型的な電圧降下によって、節点Ｒ１、Ｄ２、Ｃ４に発生する。増幅器ＴＩＡ１の差動入力は、光吸収素子ＰＤ１に割り当てられる。この電圧は、デカップリングコンデンサＣ４によって平滑にされる。
【００５６】
−  ２個のカップリングコンデンサＣ２及びＣ３を介して（図２Ａによるトランスインピーダンス変換回路の第１の代表的実施形態（Ｓ２）参照）又は
−  ２個のスイッチングトランジスタＴ３及びＴ４を介して（図２Ｂによるトランスインピーダンス変換回路の第２の代表的実施形態（Ｓ２’）参照）、
接続されたフォトダイオードＰＤ１からの、増幅器ＴＩＡ１により増幅された信号が、ＴＭＤＳレシーバＲＣの差動入力に提供される。
【００５７】
図２Ａによるトランスインピーダンス変換回路の第１の代表的実施形態（Ｓ２）において、第１のカップリングコンデンサＣ２は、増幅器ＴＩＡ１の第１の出力に割り当てられる。第２のカップリングコンデンサＣ３は、増幅器ＴＩＡ１の第２の出力に割り当てられる。
【００５８】
図２Ｂによるトランスインピーダンス変換回路の第２の代表的実施形態（Ｓ２’）において、第１のスイッチングトランジスタＴ３は、増幅器ＴＩＡ１の第１の出力に割り当てられる。第２のスイッチングトランジスタＴ４は、増幅器ＴＩＡ１の第２の出力に割り当てられ、これにより増幅器ＴＩＡ１の第１の出力の逆位相の差動出力信号が提供される。
【００５９】
具体的には、図２Ｂによるトランスインピーダンス変換回路の第２の代表的実施形態（Ｓ２’）において、第１のスイッチングトランジスタＴ３のゲート又はベースは、増幅器ＴＩＡ１の第１の出力端子に接続される。第１のスイッチングトランジスタＴ３のドレイン又はコレクタは、第１の（終端）抵抗器Ｒ１に割り当てられる。第１のスイッチングトランジスタＴ３のソース又はエミッタは、直列抵抗器Ｒ３を介して増幅器ＴＩＡ１の動作電圧又は供給電圧Ｖｓｕｐｐｌｙ上に存在する。
【００６０】
その上更に、図２Ｂによるトランスインピーダンス変換回路の第２の代表的実施形態（Ｓ２’）において、第２のスイッチングトランジスタＴ４のゲート又はベースは、増幅器ＴＩＡ１の第２の出力端子に接続される。第２のスイッチングトランジスタＴ４のドレイン又はコレクタは、第２の（終端）抵抗器Ｒ２に割り当てられる。第２のスイッチングトランジスタＴ４のソース又はエミッタは、第１のスイッチングトランジスタＴ３のソース又はエミッタに接続され、直列抵抗器Ｒ３を介して増幅器ＴＩＡ１の動作電圧又は供給電圧Ｖｓｕｐｐｌｙ上に存在する。
【００６１】
図２Ｂによるトランスインピーダンス変換回路の第２の代表的実施形態（Ｓ２’）において、Ｔ３とＴ４とを切り換えることによって、増幅器ＴＩＡ１の供給電流Ｉｓｕｐｐｌｙが第１の配線ＡＤ又は第２の配線ＡＤ’のいずれかから取られる。供給電流Ｉｓｕｐｐｌｙは基本的に、入ってくる光信号に応じて、差動ペア配線ＡＤ、ＡＤ’の出力電圧を変調するのに用いられる。
【００６２】
これに対応して、図２Ｂによるトランスインピーダンス変換回路の第２の代表的実施形態（Ｓ２’）において、増幅器ＴＩＡ１の供給電圧Ｖｓｕｐｐｌｙを給電する供給電流Ｉｓｕｐｐｌｙは、少なくとも部分的に一対のスイッチングトランジスタＴ３、Ｔ４を流れる電流である。基本的に、出力段からの電流は、増幅器ＴＩＡ１の動作電流又は供給電流Ｉｓｕｐｐｌｙとして用いられる。
【００６３】
トランスインピーダンス変換回路Ｓ２又はＳ２’を操作するのに必要な電力は、トランスインピーダンス変換回路Ｓ２又はＳ２’とＴＭＤＳレシーバＲＣとの間の接続における直流電流部分に由来し、またＴＭＤＳレシーバＲＣの直流電圧部分に由来する、電力から取られる。
【００６４】
トランスインピーダンス変換回路Ｓ２又はＳ２’の増幅器ＴＩＡ１を操作する電力は、トランスインピーダンス変換回路Ｓ２又はＳ２’とＴＭＤＳレシーバＲＣとの間の接続における直流電流部分に由来し、またＴＭＤＳトランスミッタＴＭの出力におけるノード電圧とＴＭＤＳインターフェースでも用いられる約３ボルトの電圧源との間の電位差又は電圧差に由来する電力から取られる。
【符号の説明】
【００６５】
１００    回路装置（＝第１の代表的実施形態。図１Ａ、図２Ａ参照）
１００’  回路装置（＝第２の代表的実施形態。図１Ｂ、図２Ｂ参照）
ＡＤ    差動ペア配線ＡＤ、ＡＤ’の第１の配線
ＡＤ’  差動ペア配線ＡＤ、ＡＤ’の第２の配線
ＡＶＣＣ  動作電圧又は供給電圧
Ｃ１    駆動回路Ｓ１、Ｓ１’のデカップリングコンデンサ
Ｃ２    トランスインピーダンス変換回路Ｓ２の第１のカップリングコンデンサ
Ｃ２’  トランスインピーダンス変換回路Ｓ２’のデカップリングコンデンサ
Ｃ３    トランスインピーダンス変換回路Ｓ２の第２のカップリングコンデンサ
Ｃ４    トランスインピーダンス変換回路Ｓ２の第１のデカップリングコンデンサ
Ｃ５    トランスインピーダンス変換回路Ｓ２の第２のデカップリングコンデンサ
Ｄ      出力電流ドライバ又はトランスミッタＴＭの第１のスイッチ
（＝従来技術の例。図３参照）
Ｄ’    出力電流ドライバ又はトランスミッタＴＭの第２のスイッチ
（＝従来技術の例。図３参照）
Ｄ１    トランスインピーダンス変換回路Ｓ２の第１のシリコンダイオード
Ｄ２    トランスインピーダンス変換回路Ｓ２の第２のシリコンダイオード
ＤＢ１  駆動回路Ｓ１、Ｓ１’の電圧増加回路、特に電圧ダブラ
ＤＲＶ１  駆動回路Ｓ１、Ｓ１’の増幅回路、特に入力増幅器
ＥＶ    レシーバＲＣの増幅回路、特に入力増幅器
Ｆ１    データソースとデータシンクとの間の光ファイバー、特にガラス繊維又はプラスチック材料繊維、例えばプラスチックファイバー
ＧＮＤ  接地電位又はグラウンド電位又はゼロ電位
ＩＱ    データソースに割り当てられた接続インターフェース、特にＤＶＩ／ＨＤＭＩ接続インターフェース
ＩＳ    データシンクに割り当てられた接続インターフェース、特にＤＶＩ／ＨＤＭＩ接続インターフェース
Ｉｓｕｐｐｌｙ  増幅器ＴＩＡ１への動作電流又は供給電流
ＫＫ    データソースとデータシンクとの間の伝送チャネル、特に銅ケーブルの伝送チャネル
（＝従来技術の例。図３参照）
ＬＴＭＤＳ  ＴＭＤＳ符号化信号を備えた光
ＬＤ１    駆動回路Ｓ１、Ｓ１’に割り当てられた発光素子、特に光ダイオード、発光ダイオード、レーザダイオード、あるいはレーザ、例えば半導体レーザ
ＬＴ１  駆動回路Ｓ１の電圧制限素子、特に並列電圧レギュレータ又はシャントレギュレータ
ＰＤ１  トランスインピーダンス変換回路Ｓ２、Ｓ２’に割り当てられた、光吸収素子、特にフォトダイオード
Ｒ１    トランスインピーダンス変換回路Ｓ２、Ｓ２’の第１の抵抗器、特にオーム抵抗器、例えば第１の終端抵抗器
Ｒ２    トランスインピーダンス変換回路Ｓ２、Ｓ２’の第２の抵抗器、特にオーム抵抗器、例えば第２の終端抵抗器
Ｒ３    トランスインピーダンス変換回路Ｓ２、Ｓ２’の第３の抵抗器、特にオーム抵抗器、例えば直列抵抗器
ＲＣ    レシーバ、特にＴＭＤＳレシーバ
Ｒｅｆ  電圧増加回路ＤＢ１の基準端子
ＲＥＧ１  駆動回路Ｓ１’の電圧レギュレーション素子又は電圧レギュレータ
ＲＴ    レシーバＲＣの第１の終端抵抗器、特にオーム終端抵抗器
ＲＴ’  レシーバＲＣの第２の終端抵抗器、特にオーム終端抵抗器
ＲＴ１  駆動回路Ｓ１、Ｓ１’の第１の終端抵抗器、特にオーム終端抵抗器
ＲＴ２  駆動回路Ｓ１、Ｓ１’の第２の終端抵抗器、特にオーム終端抵抗器
Ｓ１    駆動回路又はドライバ（＝第１の代表的実施形態。図１Ａ参照）
Ｓ１’  駆動回路又はドライバ（＝第２の代表的実施形態。図１Ｂ参照）
Ｓ２    トランスインピーダンス変換回路又はトランスインピーダンス変換器
（＝第１の代表的実施形態。図２Ａ参照）
Ｓ２’  トランスインピーダンス変換回路又はトランスインピーダンス変換器
（＝第２の代表的実施形態。図２Ｂ参照）
ＳＱ    出力電流ドライバ又はトランスミッタＴＭの電流源
Ｔ１    駆動回路Ｓ１、Ｓ１’のスイッチングトランジスタ、特に第１のスイッチングトランジスタ
Ｔ２    駆動回路Ｓ１’の第２のスイッチングトランジスタ、特にソースフォロワ
Ｔ３    トランスインピーダンス変換回路Ｓ２’の第１のスイッチングトランジスタ
Ｔ４    トランスインピーダンス変換回路Ｓ２’の第２のスイッチングトランジスタ
ＴＩＡ１  トランスインピーダンス変換回路Ｓ２、Ｓ２’の増幅回路又は増幅器
ＴＭ    出力電流ドライバ、特にＴＭＤＳ出力電流ドライバ、又はトランスミッタ、特にＴＭＤＳ  トランスミッタ
ＴＳ    出力電流ドライバ又はトランスミッタＴＭの第１のトランジスタ
ＴＳ’  出力電流ドライバ又はトランスミッタＴＭの第２のトランジスタ、特に接続された第１のトランジスタＴＳに対して鏡像的なトランジスタ
ＶＤＶＩ／ＨＤＭＩ  供給電圧、特に約５ボルトの供給電圧
Ｖｉｎ  電圧増加回路ＤＢ１の入力端子の電位又は電圧
ＶＬＴ１  電圧制限素子ＬＴ１により定義される電位差又は電圧差 
Ｖｏｕｔ  電圧増加回路ＤＢ１の出力端子の電位又は電圧
ＶＰＤ    光吸収素子ＰＤ１の逆電圧
Ｖｓｕｐｐｌｙ  増幅器ＴＩＡ１の動作電圧又は供給電圧
ＶＴｅｒｍ  電圧レギュレーション素子又は電圧レギュレータＲＥＧ１により定義される終端電位又は終端電圧
Ｚ０    銅ケーブルＫＫの差動ペア配線ＡＤ、ＡＤ’のインピーダンス
（＝従来技術の例。図３参照）
【図１Ａ】
0005556817.tif 000002
【図１Ｂ】
0005556817.tif 000003
【図２Ａ】
0005556817.tif 000004
【図２Ｂ】
0005556817.tif 000005
【図３】
0005556817.tif 000006